(57)【要約】【課題】小型かつ簡易な構造で、メンテナンス作業が容易でありながら、夾雑物による閉塞を防止することができる、汚水中継ポンプ設備を提供する。【解決手段】汚水中継ポンプ設備は、汚水貯留槽であるマンホール６内に、し渣分離槽７Ａ，７Ｂ、水中ポンプ８Ａ，８Ｂ、セパレーション弁９Ａ，９Ｂ、水中ポンプ８Ａ，８Ｂの搬入出機構１３Ａ，１３Ｂを備える。し渣分離槽７Ａ，７Ｂは、流入管２と送水管３とに接続されている。水中ポンプ８Ａ，８Ｂは、吐出口８ｂがし渣分離槽７Ａ，７Ｂに対して着脱可能に接続される一方、吸込口８ａがマンホール６内に開放している。【選択図】  図１
2004332365.tif 000002
【特許請求の範囲】
【請求項１】
流入管を介して上流側から流入する汚水を、送水管を介して下流側に送水する、汚水中継ポンプ設備であって、
汚水貯留槽と、
前記流入管と前記送水管とに接続され、前記流入管からの汚水の流入は許可するが前記流入管への汚水の逆流を阻止する逆流防止機構とを備える、前記汚水貯留槽内に配置されたし渣分離槽と、
吐出口が前記し渣分離槽に対して着脱可能に接続される一方、吸込口が前記汚水貯留槽内に開放し、停止時に吐出口から吸込口への汚水の逆流を許可する、前記汚水貯留槽内に配置された水中ポンプと、
前記し渣分離槽と前記ポンプの吐出口との間に介設され、前記し渣分離槽から前記吐出口に流入する汚水からし渣を分離し、かつ吐出口からの汚水の流れを許可する固液分離弁と、
停止状態の前記水中ポンプを前記汚水貯留槽から搬出及び搬入するための搬入出機構と
を備える、汚水中継ポンプ設備。
【請求項２】
前記搬入出機構は、
前記汚水貯留槽内に配置された上下方向に延びる案内部材と、
前記水中ポンプの吐出口に取り付けられ、前記案内部材に沿って移動可能な被案内部材と、
前記水中ポンプの吐出口を前記し渣分離槽に対して位置決めする位置決め機構と
を備える、請求項１に記載の汚水中継ポンプ設備。
【請求項３】
前記水中ポンプの吸込口が前記汚水貯留槽の底部に対向して開口し、
前記汚水貯留槽の底部に、前記水中ポンプの吸込口に吸い込まれる汚水を旋回させるための予旋回構造をさらに備える、請求項１に記載の汚水中継ポンプ設備。
【請求項４】
前記水中ポンプの吸込口が前記汚水貯留槽の底部に対向して開口し、
前記汚水貯留槽の底部に、前記水中ポンプの吸込口に向けて少なくともその一部が傾斜する構造をさらに備える、請求項１に記載の汚水中継ポンプ設備。
【請求項５】
前記流入管と前記し渣分離槽の接続部は、前記汚水貯留槽内に開放されている、請求項１に記載の汚水中継ポンプ設備。
【請求項６】
前記流入管の端部と、前記し渣分離槽との間に間隔が設けられ、この間隔を覆うスクリーンをさらに備える、請求項５に記載の汚水中継ポンプ設備。
【請求項７】
前記固液分離弁は前記水中ポンプの吐出口に固定されている、請求項１に記載の汚水中継ポンプ設備。
【請求項８】
前記し渣分離槽の内部を、前記水中ポンプとの接続部を含む部分と残りの部分とに分割する取り外し可能な隔壁をさらに備え、
前記固液分離弁は前記隔壁に取り付けられている、請求項１に記載の汚水中継ポンプ設備。
【請求項９】
前記汚水貯留槽内に、それぞれ前記し渣分離槽、前記水中ポンプ、及び前記固液分離弁を含むユニットが２組以上収容され、
前記２つ以上のし渣分離槽は、分岐管を介して互いに接続され、かつこの分岐管を介して前記流入管に接続されている、請求項１に記載の汚水中継ポンプ設備。
【請求項１０】
前記汚水貯留槽は地中に埋設されたマンホールである、請求項１に記載の汚水中継ポンプ設備。
【発明の詳細な説明】
【０００１】
【発明の属する技術分野】
本発明は、下水道において汚水を送水するための汚水中継ポンプ設備に関する。
【０００２】
【従来の技術】
従来、下水道において汚水を送水するための種々の汚水中継ポンプ設備がある。例えば、この種の汚水中継ポンプ設備として、マンホールポンプ型と、ソリッドセパレーション型とが知られている。
【０００３】
図２２及び図２３を参照して、周知のマンホールポンプ型の汚水中継ポンプ設備を説明する。地中に埋設されたマンホール２００には流入管２０１が接続されている。また、マンホール２００内に配置された２台の水中ポンプ２０３Ａ，２０３Ｂの吐出口は揚水管２０４Ａ，２０４Ｂを介して送水管２０２に接続されている。各揚水管２０４Ａ，２０４Ｂには、ボール弁２０６、逆止弁２０７、及び空気抜き弁２０８が介設されている。水中ポンプ２０３Ａ，２０３Ｂの吐出口２１８と揚水管２０４Ａ，２０４Ｂの下端とは、ボルト等の手段で固定されておらず、ガイドパイプ２１０Ａ，２１０Ｂに沿って水中ポンプ２０３Ａ，２０３Ｂを昇降させることができる。また、水中ポンプ２０３Ａ，２０３Ｂの吸込口と対向するマンホール２００の底部には、予旋回槽２１１が配設されている。
【０００４】
流入管２０１からマンホール２００内に流入した汚水は、水と土砂及びし渣が混在した状態のままで、水中ポンプ２０３Ａ，２０３Ｂの吸込口２１９から吸い込まれ、吐出口から揚水管２０４Ａ，２０４Ｂを介して送水管２０２から下流側へ送られる。予旋回槽２１１で水中ポンプ２０３Ａ，２０３Ｂに吸い込まれる汚水を旋回させることで、マンホール２００底部での土砂の堆積が防止されている。メンテナンス発生時や故障発生時には、マンホール蓋２１２を開放してガイドパイプ２１０Ａ，２１０Ｂに沿って水中ポンプ２０３Ａ，２０３Ｂを地上に吊り上げて、必要な作業を行うことができる。
【０００５】
ソリッドセパレーション型の汚水中継ポンプ設備は、例えば特許文献１及び特許文献２に記載されている。
【０００６】
図２４及び図２５を参照して、ソリッドセパレーション型の汚水中継ポンプ設備を説明する。地上に設置され又は地下に埋設されたピット１００内に、汚水貯留槽１０５が配置され、この汚水貯留槽１０５内にし渣分離装置１０１Ａ，１０１Ｂが配置されている。し渣分離槽１０１Ａ，１０１Ｂには流入管１０２Ａ，１０２Ｂと、吐出管１０３Ａ，１０３Ｂが接続されている。また、各し渣分離槽１０１Ａ，１０１Ｂと汚水貯留槽１０５とを接続する接続管１１５Ａ，１１５Ｂが設けられ、これらの接続管１１５Ａ，１１５Ｂにはポンプ１１３Ａ，１１３Ｂが介設されている。し渣分離槽１０１Ａ，１０１Ｂ内で開口する接続管１１５Ａ，１１５Ｂの端部には汚水からし渣を分離するためのセパレーション弁１１７Ａ，１１７Ｂが取り付けられている。また、各接続管１１５Ａ，１１５Ｂには汚水ポンプ１１３Ａ，１１３Ｂの前後に常開の流入仕切弁１１９Ａ，１１９Ｂ，１２１Ａ，１２１Ｂが設けられている。
【０００７】
汚水ポンプ１１３Ａ，１１３Ｂの停止時には、図２５において破線の矢印で示すように、流入管１０２Ａ，１０２Ｂからし渣分離槽１０１Ａ，１０１Ｂ内に流入した汚水はセパレーション弁１１７Ａ，１１７Ｂによりし渣が分離された後、接続管１１５Ａ，１１５Ｂを経て汚水貯留槽１０５内に流入する。し渣分離槽１０１Ａ，１０１Ｂ内には汚水から分離されたし渣が蓄積する。
【０００８】
汚水ポンプ１１３Ａ，１１３Ｂの作動時には、図２５において実線の矢印で示すように、汚水貯留槽１０５に貯留された汚水が汚水ポンプ１１３Ａ，１１３Ｂによって接続管１１５Ａ，１１５Ｂを介してし渣分離槽１０１Ａ，１０１Ｂ内に圧送される。その結果、し渣分離槽１０１Ａ，１０１Ｂ内に蓄積されたし渣と共に汚水が送水管１０３Ａ，１０３Ｂから下流側に送出される。し渣分離槽１０１Ａ，１０１Ｂ内には汚水上に浮くボール１０７が収容されている。図２５において二点鎖線で示すように、汚水ポンプ１１３Ａ，１１３Ｂによる汚水の圧送時にはボール１０７によってし渣分離槽１０１Ａ，１０１Ｂの流入管１０２Ａ，１０２Ｂの接続部分が閉鎖され、流入管１０２Ａ，１０２Ｂへの汚水の逆流が防止される。
【０００９】
【特許文献１】
ドイツ特許第２９５０５０２８Ｕ１号
【特許文献２】
欧州特許第０７４４５０４１Ｂ１号。
【００１０】
【発明が解決しようとする課題】
マンホールポンプ型の汚水中継ポンプ設備は、比較的小型で構造が簡易である点でソリッドセパレーション型よりも優れている。しかし、前述のように水中ポンプ２０３Ａ，２０３Ｂは、汚水からし渣を分離することなく吸入するので、夾雑物による閉塞が生じるおそれがある。
【００１１】
一方、ソリッドセパレーション型の汚水中継ポンプ設備では、ポンプ１１３Ａ，１１３Ｂは、セパレーション弁１１７Ａ，１１７Ｂでし渣を分離済みの汚水を吸入するので、夾雑物による閉塞を防止することができる。しかし、ソリッドセパレーション型の設備は、汚水貯留槽１０５の外側にさらにピット１００を設けた、このピット１００内に汚水ポンプ１１３Ａ，１１３Ｂやセパレーション弁１１７Ａ，１１７Ｂを配設した構造であるので、マンホールポンプ型と比較すると、設備が大型で構造も複雑である。
【００１２】
また、ソリッドセパレーション型の設備では、ポンプ１１３Ａ，１１３Ｂ及びセパレーション弁１１７Ａ，１１７Ｂはいずれも接続管１１５Ａ，１１５Ｂに対してボルト等によって固定されているので、故障時やメンテナンス時には作業者がピット１００内に入り、かつボルト等により固定を解除する必要がある。この点で、ソリッドセパレーション型の設備は、メンテナンス等の作業が煩雑である。また、ピット１００内での作業を可能に十分な空間を確保する必要があるので、設置面積が大きくなる。
【００１３】
本発明は、これら従来の汚水中継ポンプ設備における問題を解決するためになされたもので、設置面積の小さい小型かつ簡易な構造で、メンテナンス作業が容易でありながら、夾雑物によるポンプの閉塞を防止することができる、汚水中継ポンプ設備を提供することを課題としている。
【００１４】
【課題を解決するための手段】
本発明は、流入管を介して上流側から流入する汚水を、送水管を介して下流側に送水する、汚水中継ポンプ設備であって、汚水貯留槽と、前記流入管と前記送水管とに接続され、前記流入管からの汚水の流入は許可するが前記流入管への汚水の逆流を阻止する逆流防止機構とを備える、前記汚水貯留槽内に配置されたし渣分離槽と、吐出口が前記し渣分離槽に対して着脱可能に接続される一方、吸込口が前記汚水貯留槽内に開放し、停止時に吐出口から吸込口への汚水の逆流を許可する、前記汚水貯留槽内に配置された水中ポンプと、前記し渣分離槽と前記ポンプの吐出口との間に介設され、前記し渣分離槽から前記吐出口に流入する汚水からし渣を分離し、かつ吐出口からの汚水の流れを許可する固液分離弁と、停止状態の前記水中ポンプを前記汚水貯留槽から搬出及び搬入するための搬入出機構とを備える、汚水中継ポンプ設備を提供する。
【００１５】
流入管からし渣分離槽に流入した汚水は、前記固液分離弁、停止状態の前記水中ポンプの吐出口、及び前記水中ポンプの吸込口を経て、前記汚水貯留槽内に流入し、前記し渣分離槽内には前記固液分離弁により汚水から分離されたし渣が蓄積される。前記汚水貯留槽に蓄積された汚水は作動状態の前記水中ポンプの吸込口から、前記水中ポンプの吐出口、及び固液分離弁を経て、前記し渣分離槽内に流入し、前記し渣分離槽内に蓄積されたし渣と共に、前記送水管へ送られる。
【００１６】
本発明の汚水中継ポンプ設備では、汚水貯留槽内にし渣分離槽、水中ポンプ、及び固液分離弁が収容されている。従って、汚水貯留槽の外側にさらにピットが設けられ、このピット内にポンプ等が配設されている従来のソリッドセパレーション型の設備と比較すると、小型で構造も簡易である。
【００１７】
また、汚水貯留槽内に配置された水中ポンプの吐出口はし渣分離槽に対して着脱可能に接続され、水中ポンプを汚水貯留槽から搬出及び搬入するための搬入出機構が設けられている。従って、メンテナンス時や故障発生時には、搬入出機構により水中ポンプを汚水貯留槽から搬出して作業を行うことができ、作業性が良好である。
【００１８】
さらに、水中ポンプを汚水貯留槽から搬出できるので、汚水貯留槽内に作業者が入って作業を行う空間を確保する必要がない。従って、従来のソリッドセパレーション型の設備と比較すると設備の設置面積を低減することができる。
【００１９】
さらにまた、水中ポンプは、汚水貯留槽に蓄積されている固液分離弁によってし渣を分離済みの汚水を吸込口から吸い込んで、吐出口からし渣分離槽へ吐出するので、夾雑物による水中ポンプの閉塞を防止することができる。
【００２０】
前記搬入出機構は、例えば、前記汚水貯留槽内に配置された上下方向に延びる案内部材と、前記水中ポンプの吐出口に取り付けられ、前記案内部材に沿って移動可能な被案内部材と、前記水中ポンプの吐出口を前記し渣分離槽に対して位置決めする位置決め機構とを備える。
【００２１】
前記水中ポンプの吸込口が前記汚水貯留槽の底部に対向して開口し、前記汚水貯留槽の底部に、前記水中ポンプの吸込口に吸い込まれる汚水を旋回させるための予旋回構造をさらに備えることが好ましい。あるいは、前記水中ポンプの吸込口が前記汚水貯留槽の底部に対向して開口し、前記汚水貯留槽の底部に、前記水中ポンプの吸込口に向けて少なくともその一部が傾斜する構造をさらに備えてもよい。
【００２２】
これらの構造により、汚水中に含まれる土砂が汚水貯留槽の底部に堆積するのを防止することができる。
【００２３】
前記流入管と前記し渣分離槽の接続部は、前記汚水貯留槽内に開放されていることが好ましい。
【００２４】
かかる構成により、流入管から急激に多量の汚水がし渣分離槽に流入しても、一部の汚水がし渣分離槽を経ずに汚水貯留槽に流入するので、流入管の上流側での滞留を防止することができる。
【００２５】
例えば、前記流入管の端部と、前記し渣分離槽との間に間隔が設けられ、この間隔を覆うスクリーンをさらに備えることが好ましい。
【００２６】
かかる構成とすると、流入管から急激に多量の汚水がし渣分離槽に流入した場合、汚水貯留槽にはスクリーンによってし渣が分離された汚水が流入するので、水中ポンプがより閉塞しにくくなる。
【００２７】
前記流入管とし渣分離槽の接続部を閉鎖し、かつ流入管との接続部の近傍のし渣分離槽にスリット、孔、又はメッシュを設けてもよい。また、し渣分離槽の上部を開放し、流入管の端部をし渣分離槽内に挿入してもよい。この場合も、し渣分離槽の上部にスリット、孔、又はメッシュを設けることが好ましい。
【００２８】
例えば、前記固液分離弁は前記水中ポンプの吐出口に固定されている。
【００２９】
代案としては、前記し渣分離槽の内部を、前記水中ポンプとの接続部を含む部分と残りの部分とに分割する取り外し可能な隔壁をさらに備え、前記固液分離弁は前記隔壁に取り付けられている。
【００３０】
かかる構成とした場合、水中ポンプと固液分離弁とは別個に汚水貯留槽から搬出及び搬入できるので、メンテナンス時及び故障時の作業性がより向上する。
【００３１】
前記汚水貯留槽内に、それぞれ前記し渣分離槽、前記水中ポンプ、及び前記固液分離弁を含むユニットが２組以上収容され、前記２つ以上のし渣分離槽は、分岐管を介して互いに接続され、かつこの分岐管を介して前記流入管に接続されている。
【００３２】
流入管から急激に多量の汚水が流入し、一方のユニットのし渣分離槽が満杯になっても、他方のユニットのし渣分離槽に汚水が流入するので、し渣分離槽から汚水がオーバーフローするのを防止することができる。
【００３３】
前記汚水貯留槽は、例えば地中に埋設されたマンホールである。しかし、汚水貯留槽は、地上に設置してもよい。
【００３４】
【発明の実施の形態】
次に、添付図面を参照して本発明の実施形態を詳細に説明する。
【００３５】
（第１実施形態）
図１から図３は、本発明の第１実施形態にかかるマンホール型の汚水中継ポンプ設備１を示している。
【００３６】
汚水中継ポンプ設備１は、流入管２を介して上流側から流入する汚水を、送水管３を介して下流側に送水する。汚水中継ポンプ設備１は、汚水貯留槽であるマンホール６を備え、このマンホール６内に、し渣分離槽７Ａ，７Ｂ、水中ポンプ８Ａ，８Ｂ、固液分離弁であるセパレーション弁９Ａ，９Ｂ、及び水中ポンプ８Ａ，８Ｂの搬入出機構１３Ａ，１３Ｂが配置されている。図２にのみ示すコントローラ１０は、投込式水位計１１やフロート式水位計１２からの入力に基づいて、水中ポンプ８Ａ，８Ｂの運転を制御する。
【００３７】
マンホール６は地中に埋設され、地表に設けられた開口６ａはマンホール蓋５により閉鎖されている。
【００３８】
一対のし渣分離槽７Ａ，７Ｂは、共通の流入槽１６と分岐管１７とを介して、上端が流入管２に接続されている。流入槽１６はし渣分離槽７Ａ，７Ｂの一部を構成している。流入槽１６を省略して分岐管１７から直接し渣分離槽７Ａ，７Ｂに汚水が流入するようにしてもよい。分岐管１７は、その両開口端がそれぞれし渣分離槽７Ａ，７Ｂに接続され、中央部が流入槽１６の底部側と連通している。図１６（Ａ）及び図１８（Ａ）を併せて参照すると、流入槽１６は上端に開口１６ａを備え、流入槽１６の上方に位置する流入管２の開口端２ａは、この流入槽１６の開口１６ａに対して間隔をあけて対向している。換言すれば、流入管２と流入槽１６との接続部分は、密閉されておらず、マンホール６内に開放されている。また、流入槽１６と流入管２との間の間隔を覆うように、矩形格子状のスクリーン１８が取り付けられている。し渣分離槽７Ａ，７Ｂの内部には、ボール１９が収容されている。後に詳述するように、このボール１９は流入管２からの汚水の流入は許可するが、流入管２への汚水の逆流を阻止する逆流防止機構として機能する。また、各し渣分離槽７Ａ，７Ｂは、その下部が上下方向に延びる揚水管２１Ａ，２１Ｂを介して送水管３に接続されている。揚水管２１Ａ，２１Ｂには、ボール弁２２、逆止弁２３、及び空気抜き弁２４が介設されている。し渣分離槽７Ａ，７Ｂは台座２６Ａ，２６Ｂによりマンホール６の底部に支持されている。
【００３９】
各し渣分離槽７Ａ，７Ｂに対応して、一対の水中ポンプ８Ａ，８Ｂが配設されている。水中ポンプ８Ａ，８Ｂは、吐出口８ｂがし渣分離槽７Ａ，７Ｂに着脱可能に接続され、吸込口８ａがマンホール６内の開放されている。
【００４０】
図４及び図５をさらに参照して、水中ポンプ８Ａ，８Ｂとし渣分離槽７Ａ，７Ｂとの接続構造について説明する。まず、し渣分離槽７Ａ，７Ｂの下部には、水平方向に突出する管部２８が設けられている。この管部２８は、基端側がし渣分離槽７Ａ，７Ｂの内部と連通し、先端側が開口端であり、し渣分離槽７Ａ，７Ｂとマンホール６との間での汚水の出入口として機能する。一方、水中ポンプ８Ａ，８Ｂの吐出口８ｂの先端には、し渣分離槽７Ａ，７Ｂの管部２８よりも大径のフランジ８ｃが設けられている。このフランジ８ｃには１個のセパレーション弁（固液分離弁）９Ａ，９Ｂが取り付けられている。また、フランジ８ｃの上部にはスライダ（被案内部材）２９の基端側が固定されている。このスライダ２９の先端側には、下向きに突出するフック状突起２９ａが設けられている。一方、管部２８の上部には、上向に突出するフック状の第２の突起２８ａが設けられている。これらの突起２８ａ，２９ａが互いに係止されることにより、水中ポンプ８Ａ，８Ｂの吐出口８ｂがし渣分離槽７Ａ，７Ｂ側の管部２８に位置決めされた状態で保持される。吐出口８ｂと管部２８はボルト等により固定されていないので、水中ポンプ８Ａ，８Ｂを吊り上げれば、図５に示すように、水中ポンプ８Ａ，８Ｂをし渣分離槽７Ａ，７Ｂから取り外すことができる。換言すれば、水中ポンプ８Ａ，８Ｂの吐出口８ｂは、し渣分離槽７Ａ，７Ｂに対して着脱可能に接続されている。
【００４１】
図６に示すように、セパレーション弁９Ａ，９Ｂは複数のスリット９ａと、軸９ｂを中心に矢印方向に回動可能な弁体９ｃとを備えている。９ａ間の寸法は、汚水に含まれるし渣のうち、水中ポンプ８Ａ，８Ｂ内の吸込口８ａから吐出口８ｂに至る流路の最小径（水中ポンプ８Ａ，８Ｂの通過径）よりも大きいし渣は通過させないが、汚水自体は通過できるように設定されている。弁体９ｃは吐出口８ｂを閉鎖してし渣分離槽７Ａ，７Ｂからの汚水の流入を阻止するが、吐出口８ｂから流出する汚水によって開弁し、吐出口８ｂからし渣分離槽７Ａ，７Ｂへの汚水の流出を許可する。
【００４２】
次に、水中ポンプ８Ａ，８Ｂの搬入出機構１３Ａ，１３Ｂについて説明する。マンホール６内には、各水中ポンプ８Ａ，８Ｂ毎に、鉛直方向に延びる一対の案内ロッド３１Ａ，３１Ｂが設けられている。前述のスライダ２９には円弧状の一対の切欠２９ｂ，２９ｃが設けられている。これらの切欠２９ｂ，２９ｃ内に案内ロッド３１Ａ，３１Ｂが収容されている。水中ポンプ８Ａ，８Ｂを吊り上げると、スライダ２９が案内ロッド３１Ａ，３１Ｂに沿って移動するので水中ポンプ８Ａ，８Ｂは、マンホール６の開口６ａに向けてほぼ真っ直ぐに上昇する。逆に、地表から水中ポンプ８Ａ，８Ｂをマンホール６内に収容する場合、いったん切欠２９ｂ，２９ｃ内に案内ロッド３１Ａ，３１Ｂの上端が差し込まれると、スライダ２９が案内ロッド３１Ａ，３１Ｂに案内されることにより、水中ポンプ８Ａ，８Ｂが図４で示す吐出口８ｂと管部２８が接続される位置に移動する。
【００４３】
水中ポンプ８Ａ，８Ｂの吸込口８ａはマンホール６の底部に対向して開口し、マンホール６の底部には予旋回槽３２が配置されている。図１、図２、及び図７を参照すると、予旋回槽３２は、各水中ポンプ８Ａ，８Ｂの吸込口８ａに対応する平面視で円形の凹部３２ａ，３２ｂと、図７においてニ点鎖線の矢印で示すように、凹部３２ａ，３２ｂの底に向かう螺旋面状の曲面３２ｃ，３２ｄとを備えている。この予旋回槽３２を設けたことにより、水中ポンプ８Ａ，８Ｂの作動時には吸込口８ａ付近で汚水が旋回する。
【００４４】
以上の構造を備える第１実施形態の汚水中継ポンプ設備１では、汚水貯留槽であるマンホール６内にし渣分離槽７Ａ，７Ｂ、水中ポンプ８Ａ，８Ｂ、及びセパレーション弁９Ａ，９Ｂが収容されいる。従って、汚水貯留槽の外側にさらにピットが設けられ、このピット内にポンプ等が配設されている従来のソリッドセパレーション型の設備と比較すると、小型で構造も簡易である。
【００４５】
また、マンホール６内に配置された水中ポンプ８Ａ，８Ｂの吐出口８ｂはし渣分離槽７Ａ，７Ｂの管部に対して着脱可能に接続され、かつ吐出口８ｂにセパレーション弁９Ａ，９Ｂが取り付けられた水中ポンプ８Ａ，８Ｂをマンホール６から搬出及び搬入するための搬入出機構１３Ａ，１３Ｂが設けられている。従って、メンテナンス時や故障発生時には、搬入出機構により水中ポンプ８Ａ，８Ｂをマンホール６から開口６ａを介して地表に搬出して作業を行うことができ、作業性が良好である。
【００４６】
さらに、水中ポンプ８Ａ，８Ｂをマンホール６から搬出できるので、マンホール６内に作業者が入って作業を行う空間を確保する必要がない。従って、従来のソリッドセパレーション型の設備と比較すると設備の設置面積を低減することができる。
【００４７】
次に、図８から図１１を参照して、第１実施形態の汚水中継ポンプ設備１に動作を説明する。通常、一対の水中ポンプ８Ａ，８Ｂの一方が作動状態であれば、他方は停止状態である。以下の説明では、特に言及しない限り、一方の水中ポンプ８Ａ及び対応するし渣分離槽７Ａに着目して説明する。
【００４８】
図８に示すように、し渣や土砂を含む汚水が流入管２から流入槽１６に流入し、流入槽１６から分岐管１７を経てし渣分離槽７Ａに流入する。図９に示すように、し渣分離槽７Ａに流入した汚水は、さらに管部２８から停止中の水中ポンプ８Ａの吸込口８ａに流入し、水中ポンプ８Ａの吸込口８ａからマンホール６内に流入する。セパレーション弁９Ａを通過する際に、汚水からし渣が分離されるので、マンホール６内にはし渣を分離済みの汚水が蓄積される。一方、セパレーション弁９Ａにより分離されたし渣は、し渣分離槽７Ａ内に蓄積する。し渣分離槽７Ａ内のし渣が増えるのに伴って、ボール１９が上昇する。
【００４９】
し渣分離槽７Ａ内が予め定められた水位に達したことを水位計１１，１２が検出すると、コントローラ１０により水中ポンプ８Ａが始動される。図１１に示すように、水中ポンプ８Ａが始動すると、マンホール６内の汚水が吸込口８ａから吸い込まれ、吐出口８ｂからセパレーション弁９Ａを経て、し渣分離槽７Ａ内に流入する。汚水はさらにし渣分離槽７Ａ内のし渣と共に、揚水管２１Ａから送水管３に送られる。し渣分離槽７Ａと流入槽１６との接続部分はボール１９により遮断されているので、流入槽１６へ汚水が逆流しない。
【００５０】
水中ポンプ８Ａ，８Ｂは、マンホール６内に蓄積されているセパーレーション弁９Ａ，９Ｂによってし渣を分離済みの汚水を吸込口８ａから吸い込んで、吐出口８ｂからし渣分離槽７Ａ，７Ｂへ吐出するので、夾雑物による水中ポンプ８Ａ，８Ｂの閉塞を防止することができる。
【００５１】
また、マンホール６の底部に配置された予旋回槽３２によって、水中ポンプ８Ａ，８Ｂの吸込口８ａに吸い込まれる際に汚水が旋回するので、汚水に含まれる土砂が吸込口８ａに確実に吸い込まれる。その結果、マンホール６の底部に土砂が堆積するのを防止することができ、、バキュームカー等によってマンホール内に堆積した土砂を排出する作業を定期的に行う必要がない。
【００５２】
流入管２の開口と流入槽１６の開口とは間隔をあけて対向しているので、流入管２から急激に多量の汚水が流入槽１６を介してし渣分離槽７Ａ，７Ｂに流入する場合、一部の汚水が流入槽１６やし渣分離槽７Ａ，７Ｂを経ずにマンホール６内に流入する。よって、流入管２の上流側での滞留を防止することができる。また、流入槽１６と流入管２との間の間隔にはスクリーン１８が取り付けられているので、前述のように流入管２から急激に多量の汚水がし渣分離槽７に流入した場合、マンホール６内にはスクリーン１８によってし渣が分離された汚水が流入するので、水中ポンプ８Ａ，８Ｂがより閉塞しにくくなる。
【００５３】
さらに、一対のし渣分離槽７Ａ，７Ｂが共通の分岐管１７を介して流入槽１６に接続されているので、流入管２から急激に多量の汚水が流入し、一方のし渣分離槽７Ａが満杯になっても、他方のし渣分離槽７Ｂに汚水が流入するので、し渣分離槽７Ａ，７Ｂから汚水がオーバーフローするのを防止することができる。
【００５４】
（第２実施形態）
図１２及び図１３に示す本発明の第２実施形態の汚水中継ポンプ設備１は、水中ポンプ８Ａ，８Ｂとセパレーション弁を別体としている点が第１実施形態と異なる。し渣分離槽７Ａ，７Ｂの内部を、水中ポンプ８Ａ，８Ｂとの接続部を含む部分（第１室３５）と、残りの部分（第２室３６）とに分割する取り外し可能な隔壁３７が設けられている。図１３に示すように、隔壁３７はその両側縁が挿入された案内レール３８により、し渣分離槽７Ａ，７Ｂに対して上下方向に着脱できる。この隔壁３７に２個のセパレーション弁９Ａ，９Ｂが取り付けられている。また、隔壁３７の上端にはし渣分離槽７Ａ，７Ｂの外壁の一部を構成する天板３９が取り付けられている。４０は吊り上げ又は吊り下げの際にフックを掛けるためのリングである。
【００５５】
流入管２から流入槽１６及び分岐管１７を介してし渣分離槽７Ａ，７Ｂの流入したし渣は、第２室３６からセパレーション弁９Ａ，９Ｂを通って第１室３５に流入し、停止中の水中ポンプ８Ａ，８Ｂを介してマンホール６内に流出する。セパレーション弁９Ａ，９Ｂにより汚水から分離されたし渣は、し渣分離槽７Ａ，７Ｂの第２室３６内に蓄積する。水中ポンプ８が作動すると、水中ポンプ８に吸い込まれたマンホール６内の汚水は第１室３５からセパレーション弁９Ａ，９Ｂを経て第２室３６に流入し、し渣と共に揚水管２１Ａ，２１Ｂ及び送水管３に送られる。
【００５６】
図１４に示すように、案内ロッド３１Ａ，３１Ｂに沿ってスライダ２９を昇降させ、水中ポンプ８Ａ，８Ｂをマンホール６から搬出及び搬入するとができる。また、図１５に示すように、セパレーション弁９Ａ，９Ｂを備える隔壁３７のみをし渣分離槽７Ａ，７Ｂから取り外して、マンホール６から搬出及び搬入することができる。このように、水中ポンプ８Ａ，８Ｂとセパレーション弁９Ａ，９Ｂは別個にマンホール６から搬出及び搬入できるので、メンテナンス時及び故障時の作業性がより向上する。
【００５７】
第２実施形態のその他の構成及び作用は前記第１実施形態と同様であるので、同一の要素には同一の符号を付して説明を省略する。
【００５８】
次に、流入管２の端部と流入槽１６の開口の位置関係について説明する。前記実施形態では、図１６（Ａ）示すように、流入管２の端部と流入槽１６の開口は互いに間隔をあけて対向している。しかし、図１６（Ｂ）に示すように、流入槽１６の上端を閉鎖する上端壁１６ｂを設け、この上端壁１６ｂに流入管２の端部を接続してもよい。この場合、流入槽１６の内部とマンホール６内とを連通させるために、図１７（Ｂ）に示す上下方向のスリット１６ｃ、図１７（Ｃ）に示す例えば円形穴である穴１６ｄ、又は図１７（Ｄ）に示すメッシュ状部１６ｅを設けることが好ましい。図１６（Ｃ）に示すように流入槽１６の開口から流入管２の端部を挿入し、流入管２の端部を流入槽１６内に配置してもよい。また、流入管２の端部と流入槽１６の開口とを同一の高さ位置に配置してもよい。これらの場合、前記実施形態（図１６（Ａ））と同様に流入槽１６内は開放されているので、図１７（Ａ）に示すように流入槽１６の上部にスリットや穴を設けない構造でもよい。
【００５９】
前記実施形態では、流入管２の端部と流入槽１６の間の間隔を覆うスクリーン１８は、矩形状のメッシュ１８ａを備える。しかし、図１８（Ｂ）に示す菱形状のメッシュ１８ｂを備えるスクリーン１８、あるいは図１８（Ｃ）に示す例えば円形穴である穴１８ｃを備えるスクリーン１８であってもよい。また、図１８（Ｄ）〜（Ｇ）に示すように、スクリーン１８は両端開口の短円筒状であってもよい。図１８（Ｄ）のスクリーン１８は短冊状のメッシュ１８ｄを備え、図１８（Ｅ）は矩形状のメッシュ１８ａを備え、図１８（Ｆ）は菱形状のメッシュ１８ｂを備え、図１８（Ｇ）は複数の穴１８ｃを備えるスクリーン１８を示している。
【００６０】
予旋回槽３２に代えて、例えば、図１９から図２１に示すように種々の形状の構造物３２’を採用することができる。これらの構造物３２’は、マンホール６の底部に対向して開口する水中ポンプ８Ａ，８Ｂの吸込口８ａに向けて傾斜する形状としており、汚水に含まれる土砂が水中ポンプ８Ａ，８Ｂに吸い込まれるようになっている。また、予旋回槽３２や構造物３２’に代えて、マンホール６の底自体を水中ポンプ８Ａ，８Ｂに吸い込まれる汚水が旋回するような形状や、水中ポンプ８Ａ，８Ｂの吸込口８ａに向けて傾斜する形状としてもよい。
【００６１】
【発明の効果】
以上の説明から明らかなように、本発明の汚水中継ポンプ設備では、汚水貯留槽内にし渣分離槽、水中ポンプ、及び固液分離弁を収容し、かつ水中ポンプを汚水貯留槽から搬入及び搬出する搬入出機構を設けたので、設置面積の小さい小型かつ簡易な構造で、メンテナンス時や故障時の作業性が良好であり、かつ夾雑物によるポンプの閉塞を防止することができる。
【図面の簡単な説明】
【図１】本発明の第１実施形態に係るマンホール型の汚水中継ポンプ設備を示す断面図である。
【図２】図１のＩＩ−ＩＩ線での断面図である。
【図３】図１の平面図である。
【図４】図１の部分拡大図である。
【図５】水中ポンプをし渣分離槽から取り外した状態を示す図１の部分拡大図である。
【図６】セパレーション弁を示す斜視図である。
【図７】予旋回槽を示す平面図である。
【図８】し渣分離槽への汚水の流入開始時の状態を示す概略断面図である。
【図９】し渣分離槽への汚水の流入中の状態を示す概略断面図である。
【図１０】し渣分離槽がし渣で満たされた状態を示す概略断面図である。
【図１１】水中ポンプによりマンホール内の汚水をし渣分離槽を介して圧送する状態を示す概略断面図である。
【図１２】本発明の第２実施形態に係るマンホール型の汚水中継ポンプ設備を示す部分拡大断面図である。
【図１３】図１２のＸＩＩＩ−ＸＩＩＩ線での断面図である。
【図１４】ポンプをし渣分離槽から取り外した状態を示す部分拡大断面図である。
【図１５】セパレーション弁をし渣分離槽から取り外した状態を示す部分拡大断面図である。
【図１６】（Ａ）、（Ｂ）、及び（Ｃ）は、流入管の端部と流入槽の関係の例を示す部分概略図である。
【図１７】（Ａ）、（Ｂ）、（Ｃ）、及び（Ｄ）は流入管の端部の例を示す部分概略図である。
【図１８】（Ａ）、（Ｂ）、（Ｃ）、（Ｄ）、（Ｅ）、（Ｆ）、及び（Ｇ）は、スクリーンの例を示す部分概略図である。
【図１９】予旋回槽の代替構造の例を示し、（Ａ）は平面図、（Ｂ）は断面図である。
【図２０】予旋回槽の代替構造の列を示し、（Ａ）は平面図、（Ｂ）は断面図である。
【図２１】予旋回槽の代替構造の例を示し、（Ａ）は平面図、（Ｂ）は断面図である。
【図２２】従来のマンホール型の汚水中継ポンプ設備を示す部分拡大図である。
【図２３】図２１のＸＸＩＩＩ−ＸＸＩＩＩ線での断面図である。
【図２４】従来のソリッドセパレーション型の汚水中継ポンプ設備を示す断面図である。
【図２５】図２３のＸＸＶ−ＸＸＶ線での断面図である。
【符号の説明】
１  汚水中継ポンプ設備
２  流入管
２ａ  開口端
３  送水管
５  マンホール蓋
６  マンホール
６ａ  開口
７Ａ，７Ｂ  し渣分離槽
８Ａ，８Ｂ  水中ポンプ
８ａ  吸込口
８ｂ  吐出口
８ｃ  フランジ
９Ａ，９Ｂ  セパレーション弁
１０  コントローラ
１１  投込式水位計
１２  フロート式水位計
１３Ａ，１３Ｂ  搬入出機構
１６  流入槽
１６ａ  開口
１６ｂ  上端壁
１６ｃ  スリット
１６ｄ  穴
１６ｅ  メッシュ状部
１７  分岐管
１８  スクリーン
１８ａ  矩形状のメッシュ
１８ｂ  菱形状のメッシュ
１８ｃ  穴
１８ｄ  短冊状のメッシュ
１９  ボール
２１Ａ，２１Ｂ  揚水管
２２  ボール弁
２３  逆止弁
２４  空気抜き弁
２６Ａ，２６Ｂ  台座
２８  管部
２８ａ  突起
２９  スライダ
２９ａ  突起
２９ｂ，２９ｃ  切欠
３１Ａ，３１Ｂ  案内ロッド
３２  予旋回槽
３２ａ，３２ｂ  凹部
３２ｃ，３２ｄ  曲面
３２’  構造物
３５  第１室
３６  第２室
３７  隔壁
３８  案内レール
３９  天板
４０  リング
【図１】
2004332365.tif 000003
【図２】
2004332365.tif 000004
【図３】
2004332365.tif 000005
【図４】
2004332365.tif 000006
【図５】
2004332365.tif 000007
【図６】
2004332365.tif 000008
【図７】
2004332365.tif 000009
【図８】
2004332365.tif 000010
【図９】
2004332365.tif 000011
【図１０】
2004332365.tif 000012
【図１１】
2004332365.tif 000013
【図１２】
2004332365.tif 000014
【図１３】
2004332365.tif 000015
【図１４】
2004332365.tif 000016
【図１５】
2004332365.tif 000017
【図１６】
2004332365.tif 000018
【図１７】
2004332365.tif 000019
【図１８】
2004332365.tif 000020
【図１９】
2004332365.tif 000021
【図２０】
2004332365.tif 000022
【図２１】
2004332365.tif 000023
【図２２】
2004332365.tif 000024
【図２３】
2004332365.tif 000025
【図２４】
2004332365.tif 000026
【図２５】
2004332365.tif 000027